(57)【要約】【課題】  従来のアクセルペダルとブレーキペダルはどちらも踏み込んで作動をさせている、ペダルを今操作中から次の操作には、咄嗟の判断で今操作を行なっているペダルを更に前奥へ踏み込んでしまうことになるそこで、ペダルの操作方法を変えた提案をする。【解決手段】  アクセルペダルの踏み込み間違いは、アクセルペダルとブレーキペダルを勘違いで今操作中のペダルを更に前奥へ踏み込んでしまう事である、そこでアクセルペダルの操作方法を変えたアクセルペダルである、間違って踏み込むと非常ブレーキが作動するまた、電気的に誤操作用スイッチが作動する仕組みである又同時に、アクセルペダルアーム１は連結棒１４を動かし、さらにブレーキアーム１５を作動させて、ブレーキが効く機能を有する。【選択図】図１
2019156376.tif 000002
【特許請求の範囲】
【請求項１】
アクセルアーム１の先端部に取り付け板２とスライド装置１２ａアクセルペダル板９を連重しており、前記アクセルアーム１に誤操作用スイッチ１８を接触させている、アクセルペダル装置９ａであって、アクセルペダル板９を横方向にスライドさせる事でアクセル操作をし、アクセルペダル板９を踏み込む事で前記誤操作用スイッチ１８が前記アクセルアーム１から離れてアクセルを閉じる電気信号を送るように構成された、自動車用アクセルペダル。
【請求項２】
前記、アクセルアーム１の中間位置付近に連結棒１４の一端を接続してあり連結棒１４の他端部はブレーキアーム１５上に接していて、アクセルペダル板９を一定荷重以上で踏み込むことが可能に構成されている、
前記のアクセルペダル板９を強く踏み込むことで非常ブレーキとして機能する、請求項１に記載した、自動車用アクセルペダル。
【発明の詳細な説明】
【技術分野】
【０００１】  本発明は自動車用アクセルペダルである、間違えて操作が出来ないようにしたアクセルペダル９ａである、アクセルペダルを横にスライドさせて、アクセルを開く、この時アクセルアーム１は弦巻強力バネが突っ張っている又アクセルペダル板９を前奥に踏み込む事が可能で、誤操作としてブレーキが作動する、
この時アクセルアーム１は弦巻強力バネが縮み誤操作用スイッチ１８が電気信号を出す仕組みである。
【背景技術】
【０００２】  一般の自動車は別々なアクセルペダルとブレーキペダルが装備され右足で踏み替えて操作を選択している、どちらも同じ踏み込む操作を繰り返す事で、咄嗟の時には人間の本能で危ないと感じて今操作を行なっている、ペダルを更に踏み込んでしまうことになる、
アクセルペダルを間違って踏み込んでも、暴走しないほうが極力望ましい。【０００３】  既設のブレーキペダルを改造することなく、これに容易に装置可能でペダルの踏面を運転手側に突出させず、右足の踵をフロアに付けた状態でも、ブレーキ及びアクセル操作を可能であって、制動時には必ずアクセル閉方向に動作し、ペダルを踏む位置の多少のズレを許容にする、
小型で簡易な構造で低コストなワンペダル方式のペダル装置が特許文献１に開示されている。【０００４】  特許文献２に開示の技術では、運転席床部１１に、上部が踏面２０となるペダル本体１２とペダル本体１２の動きをエンジンのスロットバルブの操作部材３１ａに連結する機構２７とを備えたアクセルペダル１３を有し、
アクセルペダル１３には、ペダル本体１２がアクセル操作ロック位置とアクセル操作可能位置との間を横移動可能とするアクセル操作制御機構３６を備え、
ペダル本体１２の上部には突出部２１が設けられ、アクセルペダル１３にはペダル本体１２をアクセル操作ロック位置に付勢する弾性部材４５が設けられている。
【先行技術文献】
【特許文献】
【０００５】
【特許文献１】特許第６１４１５０３号公報
【特許文献２】特許第３９３４１４６号公報
【発明の概要】
【発明が解決しようとする課題】
【０００６】  従来のアクセルペダルとブレーキペダルは踏み込んで作動することで発進、制止を繰り返し続けると、咄嗟の判断で、今操作中のペダルを更に深く踏み込んでしまうことで、自動車は暴走してしまうのである。【０００７】  特許文献１の技術では、既設のブレーキペダルに装着可能なブラケットと該ブラケットから右方向突出させたベースからなるフレームと該ベース上面に設けたスライド機構を介してベース上を左右に滑動可能に取り付けたアクセルパッドと提案なされているが上記の部品をブレーキペダル上に載せると重くなりバランスが取れてブレーキペダルは軽くなるので、このペダル上にアクセル装置を取り付けていて、アクセル操作は不向きであるさらに、アクセル操作を行なうとブレーキフレームが軽い為、運転者は気が付かずブレーキ操作を繰り返し続けている事になる。【０００８】  特許文献１の（００１４）において、アクセルパッドを開放した場合に自動的に左端に戻ると提案なされているが、図３でワイヤーケーブルがブラケット１０ａの中で９０°に曲がっているとアクセルパッド２０は戻らなくなる。【０００９】  （００１７）において制動時にはアクセルパッドを前方に踏み込む事でブレーキを掛ける。この際、アクセルパッドが滑動するベースはブラケット側に向けて傾斜していると提案されているが、アクセルを右へ外旋時において、ブレーキ操作を行なった場合でエンジン出力は、まだ余っている状態でブレーキ操作をした場合に自動車はスピン状態に成り兼ねない。
【課題を解決する為の手段】
【００１０】  そして本発明は、上記の目的を達成する為に、上記と違うスライド装置１２ａをアクセルアーム１の先端部へ取り付けてあり、アクセルアーム１に誤操作用スイッチ１８が接触させているアクセルペダル装置９ａである、
アクセルペダル板９を、横方向にスライドさせる事でアクセル操作が出来る、
前奥へ強く踏み込む事で誤操作用スイッチ１８がアクセルアーム１から離れてアクセルを閉じる電気信号を送る様に構成した自動車用アクセルペダル。
【００１１】  また第２の課題解決手段は、アクセルアーム１の中間位置付近に連結棒１４の一端を接続してあり連結棒１４の他端部はブレーキアーム１５上に接していて、アクセルペダル板９を一定荷重以上で踏み込むことが可能に構成されている、
アクセルペダル板９を強く踏む込む事で非常ブレーキとして機能をする、
請求項２に記載した、自動車用アクセルペダル。
【発明の効果】
【００１２】  アクセルペダル板９の操作方法は、スライド装置１２ａを使うことで横にスライドさせてアクセル機能をする、ブレーキ操作はアクセル操作中でも咄嗟の場合、アクセルペダル板を前奥へ踏み込めば非常ブレーキが瞬時に作動する、
けれども通常時では、左隣のブレーキペダル１５ａを操作するものである
又、図４に示す足型はアクセル操作中で足を手前に戻すことなく左隣のブレーキペダル１５ａへ足を左横へ移すだけでブレーキ操作が可能であり制動が瞬時に来る。
【００１３】上記の説明で
▲１▼  既設のブレーキペダルを改造しないでそのまま使用が出来る。
▲２▼  床から踏面までの距離は変えないで運転姿勢も楽である。
▲３▼  ブレーキペダルとアクセルペダルの高さ、方向も調整できる。
▲４▼  右足の踵を床に付けて足を捻るようにアクセル操作ができる。また、ブレーキ操作も瞬時でる、誤操作用スイッチを設けてあり非常ブレーキとして安全度が高い。
▲５▼  アクセルアームには一定荷重まで維持出来るのでアクセル操作が安定して操作が容易であるなどの効果があり運転姿勢が保たれ疲労、違和感が少なく出来る、
本発明に係るアクセルペダル装置は先行技術に比べて優れた効果がある。
【図面の簡単な説明】
【００１４】
【図１】  本発明の自動車用アクセルペダル装置を上から見た平面図。
【図２】  図１のアクセルペダルを全開にした操作時の平面図。
【図３】  図１のアクセルペダル装置をＡ−Ａ断面を右から見た右側図面。
【図４】  アクセルアームとブレーキアームを上から見た足操作を示した平面図。
【図５】  図４のＢ−Ｂ断面を右から見た右側図面。
【発明を実施する為の形態】
【００１５】  本発明の自動車用アクセルペダル装置９ａ及び非常ブレーキ装置を具体化した実施形態を上記図１から図５に基づいて説明をする。
【００１６】  図１において、取り付け板２をアクセルアーム１に取り付ける場合に水平に取り付けて、右足操作でペダルを外旋をさせるとペダルは足からずれてしまう、
それで取り付け板を斜め右下がりに取り付けることで、足操作に合う操作性が出来るので、足への疲労感が少なくなる。
【００１７】  図１、図２において、アクセルペダルアーム１の先端部に取り付け板２を取り付けている。次にスライドストッパー３を取り付け板２の両脇の先に取り付ける。スライドストッパー３の間にスライド装置１２ａを取り付ける
その上に、アクセルペダル板９を取り付けるが、その前に裏側と取り付け板２の上部との間にバネ取り付けブラケット６の片方を取り付けておく
次に、引きバネ５の片方を引っ掛けてバネを延ばして先端部をアクセルペダル板９の裏側に取り付ける。
【００１８】  右足を捻るようにアクセルペダル板９を外旋させてアクセルを開く、
内旋するとペダルは閉じるように足の動きとペダルがマッチしている
又、アクセルペダル板９から足がずれないように足ストッパー４をアクセルペダル板９の右側面に取り付けるとアクセル操作は容易になる。
【００１９】  上記のアクセルペダル板９を操作中に一定荷重以上では、アクセルアーム１が前奥へ踏み込まれて、弦巻強力バネ１６が縮み、誤操作用スイッチ１８が離れて自動車は止まる。
【００２０】  上記のアクセルペダル板９を一定荷重以上の力で踏み込む事が可能に構成されている、
踏み込む事で、非常ブレーキとして機能する、
通常操作は、左隣のブレーキペダルに足を移し操作するものである。
【００２１】  連結棒１４はアクセルアーム１とブレーキアーム１５を間接的に接続されている、
アクセルアーム１を前奥へ踏み込むと、連結棒１４がブレーキアーム１５を押し込んでブレーキが作動する
また、ブレーキペダル１５ａを操作しても当然ブレーキは作動できる。
【００２２】  弦巻強力バネ１６は、アクセル操作中でもアクセルアーム１は突っ張った状態を維持していてアクセル操作を容易にする物である。
【００２３】  誤操作用スイッチ１８は、アクセルアームが定位置（アクセル操作を可能な位置）にある場合のみ誤操作用スイッチ１８はＯＮであり、アクセルアーム１が前奥へ押されると、誤作動用スイッチ１８が離れて、アクセルを閉じて電気的に信号を出す仕組みである。
【００２４】  軸１９は、アクセルアーム１とブレーキアーム１５とは元部に貫通穴を通して繋いでいる。各アームは回転可能になっている。
【００２５】  シャーシ１７は車の骨部でありアクセルアーム１の貫通穴に軸１９を通してシャーシ１７で固定されている  又、ブレーキアーム１５も同じく穴を通してシャーシ１７で固定され、各ペダルはブレは無く操作性は優れている。
【００２６】  弦巻コイルバネ２０は上記（００２４、００２５）のアクセルアーム１と軸１９との間にあり、踏み込んだアクセルアーム１を元に戻す働きをする  又、ブレーキアーム１５も同じように弦巻コイルバネ２０を使っている、
ペダルから足を離すと元に戻る。
【００２７】  調整ボルト２１は、アクセルアーム１の浮き沈み（前後方向）を調整している、
アクセルペダル板９とブレーキペダル１５ａの高さ（踏面）を調整するボルトで同じ高さに統一が可能であり、上記部品の組付けは図示しないボルトで固定する。
【符号の説明】
【００２８】１        アクセルアーム
２        取り付け板
３        スライドストッパー
４        足ストッパー
５        引きバネ
６        バネ取り付けブラケット
７        アクセルワイヤー取り付けブラケット
８        アクセルワイヤー外皮取り付けブラケット
９        アクセルペダル板
９ａ      アクセルペダル装置
１０      レール
１１      ボール
１２      スライド
１２ａ    スライド装置
１３      アクセルワイヤー
１４      連結棒
１５      ブレーキアーム
１５ａ    ブレーキペダル
１６      弦巻強力バネ
１７      シャシー
１８      誤操作用スイッチ
１９      軸
２０      弦巻コイルバネ
２１      調整ボルト
【図１】
2019156376.tif 000003
【図２】
2019156376.tif 000004
【図３】
2019156376.tif 000005
【図４】
2019156376.tif 000006
【図５】
2019156376.tif 000007